【事件の表示】
　特願２００２−　３５２５５「ワイドアレイ・インクジェットプリントヘッドアセンブリ」拒絶査定不服審判事件〔平成１４年　９月　３日出願公開、特開２００２−２４８７７８〕について、次のとおり審決する。
【結　論】
　本件審判の請求は、成り立たない。
【理　由】
１．手続の経緯
　本願は、平成１４年２月１３日（パリ条約による優先権主張：２００１年２月１４日、米国）に出願したものであって、平成１７年１１月４日付けで拒絶査定がなされ、これに対し、平成１８年２月６日付けで拒絶査定に対する審判請求がなされるとともに、同日付けで明細書についての手続補正がなされたものである。
　
２．平成１８年２月６日付けの手続補正についての補正却下の決定
［補正却下の決定の結論］
　平成１８年２月６日付けの手続補正（以下、「本件補正」という。）を却下する。
［理由］
（１）補正の内容
　本件補正は、特許請求の範囲についての補正であり、「インクジェットプリントヘッドアセンブリ」に関する補正前後の請求項の記載は以下のとおりである。
＜補正前＞（平成１７年４月２７日付け手続補正書参照。）
「【請求項１】　第１の側と、該第１の側に隣接する第２の側とを有するキャリアと、
　それぞれが前記キャリアの前記第１の側上に搭載された複数のプリントヘッドのダイと、
　前記キャリアの前記第１の側上に配置される第１の部分と、前記キャリアの前記第２の側上に配置される第２の部分とを有し、前記第１の部分には、前記各プリントヘッドのダイに適合するサイズの複数の開口と規定するとともに、この開口に隣接してボンドパットを形成し、前記第２の部分には、前記ボンドパットに電気的に連絡する電気接点を形成してなるフレキシブル電気回路と、
　前記プリントヘッドのダイとそれに隣接する前記ボンドパットとを電気的に連結するワイヤボンドと、
を備えることを特徴とするインクジェットプリントヘッドアセンブリ。
　【請求項２】　前記フレキシブル電気回路は、柔軟性を有する材料の層内に設けた複数の電路を含むことを特徴とする請求項１に記載のインクジェットプリントヘッドアセンブリ。
　【請求項３】　前記電路は、少なくとも１つの電力路、少なくとも１つの接地路および少なくとも１つのデータ路を含むことを特徴とする請求項２に記載のインクジェットプリントヘッドアセンブリ。
　【請求項４】　前記フレキシブル電気回路の第２の部分上に形成されて、プリントヘッド入／出力インタフェースを構成する複数の電気接点を更に備えることを特徴とする請求項１に記載のインクジェットプリントヘッドアセンブリ。
　【請求項５】　前記キャリアの前記第１の側は、前記キャリアの前記第２の側に略垂直であることを特徴とする請求項１に記載のインクジェットプリントヘッドアセンブリ。
　【請求項６】　前記フレキシブル電気回路は、前記キャリアの第３の側上に配置される第３の部分を更に有することを特徴とする請求項１に記載のインクジェットプリントヘッドアセンブリ。
　【請求項７】　前記フレキシブル電気回路の前記第３の部分上に形成された複数の電気接点を更に備え、この複数の電気接点がプリントヘッド入出力インタフェースを形成することを特徴とする請求項６に記載のインクジェットプリントヘッドアセンブリ。」
（ただし、請求項１の記載の内、「複数の開口
と
を
　
＜補正後＞
「【請求項１】　第１の側と、該第１の側に隣接する第２の側
と、該第２の側とは反対の側である第３の側
　それぞれが前記キャリアの前記第１の側上に搭載された複数のプリントヘッドのダイと、
　前記キャリアの前記第１の側上に配置される第１の部分と、前記キャリアの前記第２の側上に配置される第２の部分
と、前記キャリアの前記第３の側上に配置される第３の部分
および前記第３の部分
それぞれ
　前記プリントヘッドのダイとそれに隣接する前記ボンドパットとを電気的に連結するワイヤボンドと、
　を備えることを特徴とするインクジェットプリントヘッドアセンブリ。
　【請求項２】　前記フレキシブル電気回路は、柔軟性を有する材料の層内に設けた複数の電路を含むことを特徴とする請求項１に記載のインクジェットプリントヘッドアセンブリ。
　【請求項３】　前記電路は、少なくとも１つの電力路、少なくとも１つの接地路および少なくとも１つのデータ路を含むことを特徴とする請求項２に記載のインクジェットプリントヘッドアセンブリ。
　【請求項４】　前記フレキシブル電気回路の第２の部分上に形成されて、プリントヘッド入／出力インタフェースを構成する複数の電気接点を更に備えることを特徴とする請求項１に記載のインクジェットプリントヘッドアセンブリ。
　【請求項５】　前記キャリアの前記第１の側は、前記キャリアの前記第２の側に略垂直であることを特徴とする請求項１に記載のインクジェットプリントヘッドアセンブリ。
　【請求項６】　前記フレキシブル電気回路の前記第３の部分上に形成された複数の電気接点を更に備え、この複数の電気接点がプリントヘッド入出力インタフェースを形成することを特徴とする請求項１に記載のインクジェットプリントヘッドアセンブリ。」
と補正された。
（ただし、請求項１の記載の内、「複数の開口
と
を
　
　従属請求項である補正前の請求項２〜５と補正後の請求項２〜５の記載は一致している。従属請求項である補正前の請求項７と補正後の請求項６は引用請求項が相違するもののその余の記載は一致している。そうすると、補正前の請求項６が削除され、補正前の請求項１と補正後の請求項１が対応しているものと認められる。
　そこで、補正前の請求項１と補正後の請求項１を対比すると、請求項１についての補正は、補正前の請求項１に記載した発明を特定するために必要な事項である「キャリア」について、「該第２の側とは反対の側である第３の側とを有する」と限定し、「フレキシブル電気回路」について、「前記キャリアの前記第３の側上に配置される第３の部分とを有」し、「前記第３の部分」にも「電気接点」を形成することを限定したものであって、平成１４年法律第２４号改正附則第２条第１項によりなお従前の例によるとされる同法による改正前の特許法第１７条の２第４項第２号に規定する特許請求の範囲の減縮を目的とするものに該当する。
　
　そこで、本件補正後の請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
（２）引用刊行物
　本願の優先権主張日前に頒布され、原査定の拒絶の理由に引用された特開平１０−４４４１８号公報（以下、「刊行物」という。）には、以下の記載が図示とともにある。
　ア．【請求項１】  熱エネルギーにより生じる気泡の発生に基づく圧力によって記録液が吐出される少なくとも１つの記録素子基板と、前記記録素子基板が実装されるフレキシブルフイルム配線基板と、前記記録素子基板における熱エネルギーの発生を制御するための信号が外部より入力される電極パットを備え、前記フレキシブルフイルム配線基板を介して前記記録素子基板と電気的に接続される配線基板と、を有するインクジェット記録ヘッドにおいて、
前記フレキシブルフイルム配線基板の入力端子と前記配線基板の出力端子とが熱硬化接着剤を用いた加熱圧着により電気的に固定接続され、その接続された電極部が該接着剤により被覆されたことを特徴とするインクジェット記録ヘッド。
　イ．【００４１】各記録素子基板１は、それぞれインクを吐出させるためにフレキシブルフイルム配線基板４の電極端子に電気的に接続されており、各フレキシブルフイルム配線基板の入力端子は記録装置本体からインクジェット記録ヘッドに記録情報などの電気信号が与えられる複数の外部入力パット５を持つ配線基板６の出力端子と電気的に接続されている。
【００４２】各フレキシブルフイルム配線基板４の入力端子と配線基板６の出力端子の接続部分は封止剤１１で覆われており、これにより接続部に直接人手が触れたり、インクが付着したりすることを防止している。また、各記録素子基板と配線基板６とは、インク供給保持部材１８の異なる面に保持されており、この構成により、インク吐出方向（記録紙面）と配線基板６の外部入力パット５の接続方向とが異なり、給紙機構部の設計上の自由度が増す。
【００４３】図１（ｂ）に示すように、配線基板６の出力端子６’と各フレキシブルフイルム配線基板の入力端子４’とは、導電粒子９’と接着剤９”で構成される異方性導電接着膜９を用いた加熱圧着により電気的に接続固定されている。この異方性導電接着膜９を用いた加熱圧着による接続固定では、端子（４’，６’）間の接続においては導電粒子９’により電気的に接続されるとともに接着剤９”で接着固定され、端子のない部分においては接着剤９”で接着固定されるが、導電粒子９’による電気的な接続はなされていない。
　ウ．【００５１】記録素子基板１の端面には上記電気熱変換素子におけるエネルギー発生を制御するための電気信号が与えられる電極１０が複数個、列状に形成されている。フレキシブルフイルム配線基板４には、記録素子基板１を実装した際に吐出口２が形成されたオリフィス面７が露出するように開口が設けられており、この開口部近傍における基板裏面に記録素子基板１の電極１０と接続される電極端子８が設けられている。
【００５２】記録素子基板１のフレキシブルフイルム配線基板４への実装は、記録素子基板１の電極１０の部分もしくはフレキシブルフイルム配線基板４の電極端子８の部分に、エポキシ樹脂系の熱硬化接着剤２０を塗布（もしくは、半硬化状の熱硬化接着剤２０を載置）し、電極１０と電極端子８とを位置合わせして仮貼合わせし、フレキシブルフイルム配線基板４側から加熱治具により押圧加熱することにより、図４に示すように接続固定する。実験的には、加圧力を２〜６ＭＰａ、加熱を樹脂上で１６０〜２２０℃、時間を２〜１０ｓｅｃとする条件で、電極１０と電極端子８とが十分に電気的に接続され、良好に固定された。
　エ．【図１】から、インク供給保持部材１８の内、複数の記録素子基板１が設けられる面と、配線基板６が設けられる面が隣接し、複数の記録素子基板１が設けられる面と配線基板６が設けられる面に渡って複数のフレキシブルフイルム配線基板４が配置されていることが看取できる。
　
　上記エ．の「複数の記録素子基板１が設けられる面」を「第１の側」、「配線基板６が設けられる面」を「第２の側」と称することができる。上記エ．のフレキシブルフイルム配線基板４の内、「第１の側」に配置されている部分を「第１の部分」、「第２の側」に配置されている部分を「第２の部分」と称することができる。また、上記イ．、ウ．の記載内容、及び上記エ．で示した【図１】によれば、前記「第２の部分」に、電極端子８に電気的に連絡する入力端子４’が形成されていることは、明らかである。
　よって、上記記載及び図面を含む刊行物全体の記載から、刊行物には、以下の発明が開示されていると認められる。
「第１の側と、該第１の側に隣接する第２の側とを有するインク供給保持部材１８と、
　それぞれが前記インク供給保持部材１８の前記第１の側上に搭載された複数の記録素子基板１と、
　前記インク供給保持部材１８の前記第１の側上に配置される第１の部分と、前記インク供給保持部材１８の前記第２の側上に配置される第２の部分とを有し、前記第１の部分には、記録素子基板１のオリフィス面７が露出するように開口を規定するとともに、この開口部近傍における裏面に電極端子８を形成し、前記第２の部分には、前記電極端子８に電気的に連絡する入力端子４’を形成してなる複数のフレキシブルフイルム配線基板４とを有し、
　前記記録素子基板１の電極１０と前記フレキシブルフイルム配線基板４の電極端子８とを電気的に連結しているインクジェット記録ヘッド」（以下、「引用発明」という。）
　
（３）対比
　本願補正発明と引用発明とを比較すると、引用発明の「インク供給保持部材１８」、「記録素子基板１」、「フレキシブルフイルム配線基板４」及び「インクジェット記録ヘッド」は、それぞれ本願補正発明の「キャリア」、「プリントヘッドのダイ」、「フレキシブル電気回路」及び「インクジェットプリントヘッドアセンブリ」に相当する。
　引用発明の「オリフィス面７が露出するように開口を規定する」と、本願補正発明の「各プリントヘッドのダイに適合するサイズの複数の開口と規定する」は、いずれも「プリントヘッドのダイ（引用発明の「記録素子基板１」）に対応する開口を規定する」点で共通し、引用発明の「この開口部近傍における基板裏面に」と、本願補正発明の「この開口に隣接して」は、いずれも「この開口近傍に」という点で共通し、引用発明の「電極端子８」と、本願補正発明の「ボンドパット」は、いずれも「プリントヘッドのダイに接続される電気接点」である点で共通し、引用発明の「入力端子４’」は、第２の部分に形成されているから、本願補正発明の「電気接点」に相当する。
　引用発明の「前記記録素子基板１の電極１０と前記フレキシブルフイルム配線基板４の電極端子８とを電気的に連結している」と、本願補正発明の「前記プリントヘッドのダイとそれに隣接する前記ボンドパットとを電気的に連結する」は、いずれも「前記プリントヘッドのダイとフレキシブル電気回路の第１の部分の電気接点とを電気的に連結する」点で共通する。
　よって、両者は、
「第１の側と、該第１の側に隣接する第２の側とを有するキャリアと、
　それぞれが前記キャリアの前記第１の側上に搭載された複数のプリントヘッドのダイと、
　前記キャリアの前記第１の側上に配置される第１の部分と、前記キャリアの前記第２の側上に配置される第２の部分とを有し、前記第１の部分には、前記プリントヘッドのダイに対応する開口を規定するとともに、この開口近傍にプリントヘッドのダイに接続される電気接点を形成し、前記第２の部分には、前記プリントヘッドのダイに接続される電気接点に電気的に連絡する電気接点を形成してなるフレキシブル電気回路とを有し、
　前記プリントヘッドのダイとフレキシブル電気回路の第１の部分の電気接点とを電気的に連結するインクジェットプリントヘッドアセンブリ。」
の点で一致し、以下の点で相違している。
［相違点１］キャリアに関し、本願補正発明は、「該第２の側とは反対の側である第３の側とを有する」と特定されているのに対し、引用発明は、本願補正発明のような特定がない点。
［相違点２］フレキシブル電気回路に関し、本願補正発明は、「前記キャリアの前記第３の側上に配置される第３の部分とを有し」、「前記第２の部分および前記第３の部分には・・・電気接点をそれぞれ形成してなる」と特定されているのに対し、引用発明は、本願補正発明のような特定がない点。
［相違点３］フレキシブル電気回路に関し、本願補正発明は、「各プリントヘッドのダイに適合するサイズの複数の開口を規定する」と特定されているのに対し、引用発明は、本願補正発明のような特定がない点。
［相違点４］プリントヘッドのダイとフレキシブル回路の第１の部分の電気接点とを電気的に連結する点に関し、本願補正発明は、「この開口に隣接してボンドパットを形成し」、「前記プリントヘッドのダイとそれに隣接する前記ボンドパットとを電気的に連結するワイヤボンドと、を備える」と特定されているのに対し、引用発明は、本願補正発明のような特定がない点。
　
（４）判断
　上記相違点１、２について検討する。
　引用発明のフレキシブルフイルム配線基板４は、インク供給保持部材１８の第２の側上に配置される第２の部分を有しているものであるが、第３の部分については、明らかでない。
　しかしながら、高精細に印字することは、インクジェット記録ヘッドの自明の課題であり、そのためには、インク吐出孔をオリフィス面に高密度に形成しなくてはならず、各インク吐出孔の吐出は、個別に電気制御されるから、高密度のインク吐出孔を制御するために、多数の配線や電気接点を設けなくてはならない。多数の配線や電気接点を設けたポリマーテープをプリントヘッドの両側側面に対応させて折り曲げることにより、プリントヘッドの両側側面に対応した部分に多数の配線や電気接点を形成するようにした技術は、周知技術（例えば、特開平６−８４４６号公報、【図４】、【図８】は、ポリマーテープ（本願補正発明の「フレキシブル電気回路」）の底面図を示しており、接触パッド４６（同「電気接点」）は、折れ線を示す点線の両外側に設けられており、【図５】には、ポリマーテープが配置される対向する面が看取できる。）であるから、前記自明の課題を達成するべく、多数の配線や電気接点を配置できるように、引用発明のフレキシブルフイルム配線基板４（本願補正発明の「フレキシブル電気回路」）に第２の部分とは異なる第３の部分を形成し、これに電気接点を設け、インク供給保持部材１８（本願補正発明の「キャリア」）の第２の側とは反対側の第３の側上に配置することは、当業者が容易になし得る程度のことである。
　よって、本願補正発明の上記相違点１、２のような構成とすることは当業者が容易になし得る程度のことである。
　
　上記相違点４について検討する。
　電気的に連結する手段としてワイヤボンディングは、例示するまでもなく周知技術であり、同じ面上に配置されるプリントヘッドのダイと電気回路とをワイヤボンディングで連結することは、周知技術（例えば、特開平１１−１９２７０５号公報、特に【図１０】参照。）であるから、同じ面上に記録素子基板１とフレキシブルフイルム配線基板４の第１の部分とが配置される引用発明に該周知技術を適用し、その際、連結しやすいように、開口に隣接した表側にボンドパットを形成し、ダイに隣接するボンドパットに連結し、上記相違点４のような構成とすることは当業者が容易になし得る程度のことである。
　
　上記相違点３について検討する。
　引用発明は、複数の記録素子基板１に対し、複数のフレキシブルフイルム配線基板４を設けるものであり、１つのフレキシブルフイルム配線基板４（本願補正発明の「フレキシブル電気回路」）に複数の開口を規定するものではないが、インク供給保持部材１８に対して複数の記録素子基板１（同「プリントヘッドのダイ」）の位置が定まっていることは技術常識であり、複数のフレキシブルフイルム配線基板４の開口の相対位置も自ずと定まるものである。そして、フレキシブル電気回路を複数のプリントヘッドのダイに渡る大きさとすることは周知技術（例えば、特開平６−８４４６参照。「ポリマーテープ」、「シリコン・ダイ４２」が、本願補正発明の「フレキシブル電気回路」、「プリントヘッドのダイ」に相当。）であるから、引用発明の複数のフレキシブルフイルム配線基板４を複数の記録素子基板１に渡る大きさにし、複数の開口の相対位置を定め、フレキシブルフイルム配線基板４に複数の開口を規定することは当業者が容易になし得る程度のことである。
　上記複数の開口をプリントヘッドのダイに適合するサイズとする点について、プリントヘッドのダイの大きさ、及び、該ダイとフレキシブル電気回路との電気的接続の態様に応じて当業者が当然考慮する設計事項に過ぎない。
　よって、上記相違点３のような構成とすることは当業者が容易になし得る程度のことである。
　
　そして、本願補正発明の作用効果も、刊行物記載の発明及び周知技術から当業者が予測できる範囲のものである。
　
　したがって、本願補正発明は、本願優先権主張日前に頒布された刊行物記載の発明及び周知技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
　平成１８年２月６日付けの手続補正は上記のとおり却下されたので、本願の請求項１に係る発明は、平成１７年４月２７日付け手続補正書の特許請求の範囲の請求項１に記載された事項により特定されるものであり、その請求項１に係る発明（以下、「本願発明」という。）は、以下のとおりである。（ただし、誤記は修正した。）
　
「第１の側と、該第１の側に隣接する第２の側とを有するキャリアと、
　それぞれが前記キャリアの前記第１の側上に搭載された複数のプリントヘッドのダイと、
　前記キャリアの前記第１の側上に配置される第１の部分と、前記キャリアの前記第２の側上に配置される第２の部分とを有し、前記第１の部分には、前記各プリントヘッドのダイに適合するサイズの複数の開口を規定するとともに、この開口に隣接してボンドパットを形成し、前記第２の部分には、前記ボンドパットに電気的に連絡する電気接点を形成してなるフレキシブル電気回路と、
　前記プリントヘッドのダイとそれに隣接する前記ボンドパットとを電気的に連結するワイヤボンドと、
を備えることを特徴とするインクジェットプリントヘッドアセンブリ。」
　
（１）引用刊行物
　原査定の拒絶の理由に引用された刊行物及びその記載事項は、前記「２．（２）」に記載したとおりである。
　
（２）対比・判断
　本願発明は、前記２．で検討した本願補正発明から「キャリア」についての限定事項である「該第２の側とは反対の側である第３の側」との構成を省き、「フレキシブル電気回路」についての限定事項である「前記キャリアの前記第３の側上に配置される第３の部分」との構成を省いたものである。
　そうすると、実質的に本願発明を特定する事項を全て含み、さらに他の要件を特定する事項を付加したものに相当する本願補正発明が、前記「２．（４）」に記載したとおり、刊行物記載の発明及び周知技術に基づいて、当業者が容易に発明をすることができたものであるから、本願発明も、同様の理由により、刊行物記載の発明及び周知技術に基づいて、当業者が容易に発明をすることができたものである。
　
（３）むすび
　以上のとおり、本願発明は、本願の優先権主張日前に頒布された刊行物記載の発明及び周知技術に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。